(57)【要約】【課題】繰返し再利用することができる立体状収納袋を提供する。【解決手段】略正方形７から全ての角部８を短辺９をもって除去した、４長辺10と４短辺９とから成る八角シート面部11を３個有し、かつ、各八角シート面部11は、一対の対向する短辺９が上方下方に配設されて４長辺10を傾斜状とした傾き姿勢で順次連結した立体形状の合成樹脂製袋本体１を備える。３つの上方短辺９Ａが三叉状に溶着されるとともに、３つの下方短辺９Ｂが三叉状に溶着される。傾斜状の上方長辺10Ａが順次溶着され、中間高さに配設された中間短辺９Ｃが２つ折り状とされ、傾斜状の下方長辺10Ｂが順次溶着される。八角シート面部11のひとつは、上下中央線Ｐに沿って左右に分離され、上下中央線Ｐに沿ってファスナー２が設けられるとともに、ファスナー２にスライダー３が付設される。【選択図】図１
2020203690.tif 000002
【特許請求の範囲】
【請求項１】
略正方形（７）から全ての角部（８）を短辺（９）をもって除去した、４長辺（10）と４短辺（９）とから成る八角シート面部（11）を３個有し、かつ、各上記八角シート面部（11）は、一対の対向する短辺（９）が上方下方に配設されて４長辺（10）を傾斜状とした傾き姿勢で順次連結した立体形状の合成樹脂製袋本体（１）を備え、
３つの上方短辺（９Ａ）を三叉状に溶着するとともに、３つの下方短辺（９Ｂ）を三叉状に溶着し、
傾斜状の上方長辺（10Ａ）が順次溶着され、中間高さに配設された中間短辺（９Ｃ）が２つ折り状とされ、傾斜状の下方長辺（10Ｂ）が順次溶着され、
上記八角シート面部（11）のひとつは、上下中央線（Ｐ）に沿って左右に分離され、上記上下中央線（Ｐ）に沿ってファスナー（２）を設けるとともに、該ファスナー（２）にスライダー（３）を付設したことを特徴とする立体状収納袋。
【請求項２】
合成樹脂製長尺シート(Ｓ)の一端縁（Ｓ1 ）に第１ファスナー半体（２Ａ）を固着するとともに、上記長尺シート（Ｓ）の他端縁（Ｓ2 ）に上記第１ファスナー半体（２Ａ）と着脱自在な第２ファスナー半体（２Ｂ）を固着し、
上記長尺シート（Ｓ）の一端縁（Ｓ1 ）側を、横断面横倒Ｗ型に折曲げ、上記長尺シート（Ｓ）の他端縁（Ｓ2 ）側を、横断面横倒Ｖ型に折曲げるとともに、上記一端縁（Ｓ1 ）と他端縁（Ｓ2 ）を重ね、３組の折曲重ね部（12）を形成し、
45°回転させた傾斜姿勢の略正方形（７）が長手方向（Ｌ）に複数繰り返される溶着線（13）をもって、上記折曲げた長尺シート（Ｓ）を、各折曲重ね部（12）ごとに溶着し、
上記長尺シート（Ｓ）を、長手方向（Ｌ）に隣接する上記略正方形（７）間にて、幅方向（Ｗ）に溶断し、
上記略正方形（７）の溶着線（13）の外側を切断により分離し、
上記第１ファスナー半体（２Ａ）及び第２ファスナー半体（２Ｂ）に、スライダー（３）を付設することを特徴とする立体状収納袋の製法。
【発明の詳細な説明】
【技術分野】
【０００１】
本発明は、立体状収納袋及びその製法に関する。
【背景技術】
【０００２】
従来、合成樹脂製の立体状収納袋として、食品を収納するものがある（例えば、特許文献１参照）。
【先行技術文献】
【特許文献】
【０００３】
【特許文献１】特開２０１７−１６５４８０号公報
【発明の概要】
【発明が解決しようとする課題】
【０００４】
しかし、特許文献１記載の立体状収納袋は、使い捨てであって、再利用できないという問題がある。また、見慣れた４面体形状（いわゆるテトラ型）であって、印象が薄く、展示会等でのアピール力が弱い。そこで、本発明は、再利用できる立体状収納袋及びその製法を提供することを目的とする。また、印象的な形状であって、展示等の際、アピール力が強く目立つ立体状収納袋及びその製法を提供することを目的とする。
【課題を解決するための手段】
【０００５】
本発明に係る立体状収納袋は、略正方形から全ての角部を短辺をもって除去した、４長辺と４短辺とから成る八角シート面部を３個有し、かつ、各上記八角シート面部は、一対の対向する短辺が上方下方に配設されて４長辺を傾斜状とした傾き姿勢で順次連結した立体形状の合成樹脂製袋本体を備え、３つの上方短辺を三叉状に溶着するとともに、３つの下方短辺を三叉状に溶着し、傾斜状の上方長辺が順次溶着され、中間高さに配設された中間短辺が２つ折り状とされ、傾斜状の下方長辺が順次溶着され、上記八角シート面部のひとつは、上下中央線に沿って左右に分離され、上記上下中央線に沿ってファスナーを設けるとともに、該ファスナーにスライダーを付設したものである。
【０００６】
また、本発明に係る立体状収納袋の製法は、合成樹脂製長尺シートの一端縁に第１ファスナー半体を固着するとともに、上記長尺シートの他端縁に上記第１ファスナー半体と着脱自在な第２ファスナー半体を固着し、上記長尺シートの一端縁側を、横断面横倒Ｗ型に折曲げ、上記長尺シートの他端縁側を、横断面横倒Ｖ型に折曲げるとともに、上記一端縁と他端縁を重ね、３組の折曲重ね部を形成し、45°回転させた傾斜姿勢の略正方形が長手方向に複数繰り返される溶着線をもって、上記折曲げた長尺シートを、各折曲重ね部ごとに溶着し、上記長尺シートを、長手方向に隣接する上記略正方形間にて、幅方向に溶断し、上記略正方形の溶着線の外側を切断により分離し、上記第１ファスナー半体及び第２ファスナー半体に、スライダーを付設する方法である。
【発明の効果】
【０００７】
本発明の立体状収納袋によれば、繰返し再利用することができる。また、印象的な形状であって、展示会等の際、アピール力が強く、人目を引く。コンパクトに折畳むことができる。そして、コンパクトに折畳んで容易に収納したり、運搬することができる。また、袋本体を、１枚のシートから製造することができる。
【０００８】
また、本発明の立体状収納袋の製法によれば、１枚のシートから、繰返し再利用可能で展示会等の際、アピール力が強く、人目を引く立体状収納袋を製造することができる。
【図面の簡単な説明】
【０００９】
【図１】本発明の実施の一形態の使用状態を示す斜視図である。
【図２】使用状態を示す斜視図である。
【図３】内容物収納可能状態を示す平面図である。
【図４】折畳み状態を示す平面図である。
【図５】説明図であって、（Ａ）は略正方形の説明図であり、（Ｂ）は八角シート面図の説明図である。
【図６】ファスナーを示す断面図であって、（Ａ）は係合状態を示す断面図であり、（Ｂ）は非係合状態を示す断面図である。
【図７】第１部材を示す斜視図である。
【図８】第２部材を示す斜視図である。
【図９】要部拡大断面図である。
【図１０】製法を示す平面図である。
【図１１】平面図である。
【図１２】拡大断面正面図である。
【図１３】平面図である。
【図１４】拡大断面正面図である。
【図１５】平面図である。
【図１６】平面図である。
【図１７】平面図である。
【発明を実施するための形態】
【００１０】
以下、図示の実施の形態に基づいて本発明を詳説する。図１は、本発明の実施の一形態を示す。この立体状収納袋の袋本体１は、光の透過性のある（即ち、透明ないし半透明の）合成樹脂製であって、外部から（袋本体１を介して）内容物Ａを見ることができる。内容物Ａは、例えば、花、発光体、きらきら光るガラスボール、芳香剤、昆虫等であって、紐６で吊下げて、装飾用のディスプレイ等として用いられる。
【００１１】
袋本体１は、ファスナー２により開閉自在であって、図２に示すように、スライダー３を下方へ引張ることにより、ファスナー２を開くことができる。図３に、内部を空とした場合の平面図を示す。袋本体１は、平面視三角状である。図４に示すように、袋本体１を（平面視Ｙ字状に）折畳可能である。
【００１２】
袋本体１は、図５（Ａ）に示すような略正方形７から全ての角部８を短辺９をもって除去した、図５（Ｂ）に示すような４長辺10と４短辺９とから成る八角シート面部11を３個有し、かつ、各八角シート面部11は、一対の対向する短辺９が上方下方に配設されて４長辺10を傾斜状とした傾き姿勢で順次連結した立体形状である。
【００１３】
図１〜図４に示すように、３つの上方短辺９Ａが三叉状（Ｙ字状）に溶着されるとともに、３つの下方短辺９Ｂが三叉状に溶着されている。傾斜状の上方長辺10Ａが順次溶着され、中間高さに配設された中間短辺９Ｃが２つ折り状とされ、傾斜状の下方長辺10Ｂが順次溶着されている。八角シート面部11のひとつは、上下中央線Ｐ（図５参照）に沿って左右に分離され、上下中央線Ｐに沿ってファスナー２が設けられるとともに、ファスナー２にスライダー３が付設されている。ファスナー２は、密封状封止ファスナーである。スライダー３は、組立型スライダーである。なお、本発明に於て、「密封状」とは、完全な密封ではなく、一部（上部）が開いている場合を含むものとする。
【００１４】
図６に示すように、ファスナー２は、第１ファスナー半体２Ａと第２ファスナー半体２Ｂとから成る。第１ファスナー半体２Ａの係合部16は、袋外方側Ｋe に配設される横断面キノコ型（矢印型）の雄部17と、袋内方側Ｋf に配設される横断面Ｊ字乃至Ｌ字状の第１係止爪部18と、を有する。第２ファスナー半体２Ｂの係合部19は、第１ファスナー半体２Ａの雄部17を係脱自在な横断面コの字状の雌部20と、第１ファスナー半体２Ａの第１係止爪部18に係合自在な横断面Ｊ字状乃至Ｌ字状の第２係止爪部21と、を有する。雄部17及び雌部20は、袋外方側縁部及び袋内方側縁部に、カエリ部（掛かり部）を有している。そして、雄部17と雌部20の係合力は、袋外方側縁部の係合部よりも、袋内方側縁部の係合力が大きくなるように構成している。
【００１５】
図７及び図９に示すように、閉状態のファスナー２を、第１ファスナー半体２Ａと第２ファスナー半体２Ｂとに上下方向に分離させて開状態とするための分離ガイド部22を内部に有すると共に第１ファスナー半体２Ａと第２ファスナー半体２Ｂとを相互に図９の上下方向Ｔから押圧して係合させるための絞り部23を後端部に有する樹脂製の第１部材４を備えている。さらに、図８及び図９に示すように、第１部材４に前後方向に所定前後寸法だけスライド移動可能に外嵌状に組付けられた樹脂製の第２部材５を備えている。
【００１６】
上記ファスナー２及びスライダー３は、密封性が高いので、袋本体１に液体を収納することができる。例えば、水、及び、金魚その他水の中で美しく見えるもの等を収納するのに好適である。但し、ファスナー２の上部に小開口部（図示省略）が生じるので、上部に空間を設けるように液体を収納する。
【００１７】
次に、本発明の立体状収納袋の製法について説明する。図10に示すように、合成樹脂製長尺シートＳの一端縁Ｓ1 に第１ファスナー半体２Ａを固着するとともに、長尺シートＳの他端縁Ｓ2 に第１ファスナー半体２Ａと着脱自在な第２ファスナー半体２Ｂを固着する。図11及び図12に示すように、長尺シートＳの一端縁Ｓ1 側を、横断面横倒Ｗ型に折曲げ、長尺シートＳの他端縁Ｓ2 側を、横断面横倒Ｖ型に折曲げるとともに、一端縁Ｓ1 と他端縁Ｓ2 を重ね、３組の折曲重ね部12を形成する。
【００１８】
図13及び図14に示すように、45°回転させた傾斜姿勢の略正方形７が長手方向に複数繰り返される溶着線13をもって、折曲げた長尺シートＳを、各折曲重ね部12ごとに溶着する。その後、長尺シートＳを、長手方向に隣接する略正方形７間にて、幅方向Ｗに溶断する。溶断により、重なった長尺シートＳが、切断されるとともに、相互に溶着される。
【００１９】
図15に示すように、長尺シートＳ（図13等参照）を、３つの略正方形７の溶着線13が含まれるようにかつ分断されないように、幅方向Ｗに溶断する。図16に示すように、略正方形７の溶着線13の外側を切断により分離する。図17に示すように、第１ファスナー半体２Ａ（図６参照）及び第２ファスナー半体２Ｂに、スライダー３を付設する。スライダー３に、吊下用の紐６を取着する（図１・図２参照）。
【００２０】
なお、本発明は、設計変更可能であって、例えば、紐６を省略しても良い。
【００２１】
以上のように、本発明は、略正方形７から全ての角部８を短辺９をもって除去した、４長辺10と４短辺９とから成る八角シート面部11を３個有し、かつ、各上記八角シート面部11は、一対の対向する短辺９が上方下方に配設されて４長辺10を傾斜状とした傾き姿勢で順次連結した立体形状の合成樹脂製袋本体１を備え、３つの上方短辺９Ａを三叉状に溶着するとともに、３つの下方短辺９Ｂを三叉状に溶着し、傾斜状の上方長辺10Ａが順次溶着され、中間高さに配設された中間短辺９Ｃが２つ折り状とされ、傾斜状の下方長辺10Ｂが順次溶着され、上記八角シート面部11のひとつは、上下中央線Ｐに沿って左右に分離され、上記上下中央線Ｐに沿ってファスナー２を設けるとともに、該ファスナー２にスライダー３を付設したので、内容物Ａを出入れ可能であって、繰返し再利用することができる。また、印象的な形状であって、展示会等の際、アピール力が強く、人目を引く。中間短辺９Ｃが（溶着されておらず）２つ折り状なので、中央部に収納された内容物Ａを、外部から美しく観ることができる。また、コンパクトに折畳むことができる。そして、コンパクトに折畳んで容易に収納したり、運搬することができる。また、袋本体１を、１枚のシートから製造することができる。
【００２２】
また、合成樹脂製長尺シートＳの一端縁Ｓ1 に第１ファスナー半体２Ａを固着するとともに、上記長尺シートＳの他端縁Ｓ2 に上記第１ファスナー半体２Ａと着脱自在な第２ファスナー半体２Ｂを固着し、上記長尺シートＳの一端縁Ｓ1 側を、横断面横倒Ｗ型に折曲げ、上記長尺シートＳの他端縁Ｓ2 側を、横断面横倒Ｖ型に折曲げるとともに、上記一端縁Ｓ1 と他端縁Ｓ2 を重ね、３組の折曲重ね部12を形成し、45°回転させた傾斜姿勢の略正方形７が長手方向Ｌに複数繰り返される溶着線13をもって、上記折曲げた長尺シートＳを、各折曲重ね部12ごとに溶着し、上記長尺シートＳを、長手方向Ｌに隣接する上記略正方形７間にて、幅方向Ｗに溶断し、上記略正方形７の溶着線13の外側を切断により分離し、上記第１ファスナー半体２Ａ及び第２ファスナー半体２Ｂに、スライダー３を付設するので、１枚のシートから、繰返し再利用可能で、展示会等の際、アピール力が強く、人目を引く立体状収納袋を製造することができる。
【符号の説明】
【００２３】
１  袋本体
２  ファスナー
２Ａ  第１ファスナー半体
２Ｂ  第２ファスナー半体
３  スライダー
７  略正方形
８  角部
９  短辺
９Ａ  上方短辺
９Ｂ  下方短辺
９Ｃ  中間短辺
10  長辺
10Ａ  上方長辺
10Ｂ  下方長辺
11  八角シート面部
12  折曲重ね部
13  溶着線
Ｌ  長手方向
Ｐ  上下中央線
Ｓ  （合成樹脂製）長尺シート
Ｓ1   一端縁
Ｓ2   他端縁
Ｗ  幅方向
【図１】
2020203690.tif 000003
【図２】
2020203690.tif 000004
【図３】
2020203690.tif 000005
【図４】
2020203690.tif 000006
【図５】
2020203690.tif 000007
【図６】
2020203690.tif 000008
【図７】
2020203690.tif 000009
【図８】
2020203690.tif 000010
【図９】
2020203690.tif 000011
【図１０】
2020203690.tif 000012
【図１１】
2020203690.tif 000013
【図１２】
2020203690.tif 000014
【図１３】
2020203690.tif 000015
【図１４】
2020203690.tif 000016
【図１５】
2020203690.tif 000017
【図１６】
2020203690.tif 000018
【図１７】
2020203690.tif 000019